(57)【要約】【課題】凹凸の差が小さい模様であり、かつ見る角度によって見え方が変化する模様１４を皮革１０の表面に付けることを特徴とする。【解決手段】皮革１０の表面に対して、地となるべき面１１とそれに付けるべき柄模様部若しくは縞模様部１２，１３とのそれぞれに対して、細くて平行な凸部３１と凹溝３２とが交互に現われる凹凸面であって、地となる面と柄模様部若しくは縞模様部とで互いに傾き角度が異なる凹凸面を形成した皮革若しくは人工皮革を特徴とする。【選択図】  図１
2018168482.tif 000002
【特許請求の範囲】
【請求項１】
皮革若しくは人工皮革の表面に対して、地となるべき面とそれに付けるべき柄模様部若しくは縞模様部とのそれぞれに対して、細くて平行な凸部と凹溝とが交互に現われる凹凸面であって、前記地となる面と柄模様部若しくは縞模様部とで互いに傾き角度が異なる凹凸面を形成することを特徴とする皮革若しくは人工皮革の模様付け方法。
【請求項２】
前記凸部、凹溝それぞれの幅は０．１ｍｍ以上、０．３ｍｍ以下としたことを特徴とする請求項１に記載の皮革若しくは人工皮革の模様付け方法。
【請求項３】
皮革若しくは人工皮革の表面に対して、地となるべき面とそれに付けるべき柄模様部若しくは縞模様部とのそれぞれに対して、細くて平行な凸部と凹溝とが交互に現われる凹凸面であって、前記地となる面と柄模様部若しくは縞模様部とで互いに傾き角度が異なる凹凸面を形成したことを特徴とする皮革若しくは人工皮革。
【請求項４】
前記凸部、凹溝それぞれの幅は０．１ｍｍ以上、０．３ｍｍ以下としたことを特徴とする皮革若しくは人工皮革。
【発明の詳細な説明】
【技術分野】
【０００１】
本発明は、皮革若しくは人工皮革の表面に見る角度によって見え方が変化する模様を付ける皮革若しくは人工皮革の模様付け方法、またその方法を用いて模様付けした皮革若しくは人工皮革に関する。
【背景技術】
【０００２】
従来、滑らかな表面の天然皮革のその滑らかな表面に模様付けする技術として、刻印を用いて手作業により模様付けをする方法、絵柄模様を彫り込んだ型板を押し付けて模様を付ける方法、あるいは絵柄模様を表面に彫ったローラーにより型押して連続的に模様付けをする方法などが知られている。これらのいずれの模様付け方法も、凸部が比較的高く、凹部が比較的深く、また比較的大柄な凹凸模様を付けるにはふさわしい方法ではある。
【０００３】
しかしながら、凹凸の差が小さく、光の反射角度の関係で見る角度によって見え方が変化するような模様を付ける模様付け方法は知られていない。またそのような方法で模様付けした皮革若しくは人工皮革も知られていない。
【先行技術文献】
【特許文献】
【０００４】
【特許文献１】特開２００７−２７６２８５号公報
【特許文献２】特開２００８−２３８６０１号公報
【特許文献３】特開２０１６−２０４８１１号公報
【発明の概要】
【発明が解決しようとする課題】
【０００５】
本発明は、上記従来技術の課題に鑑みてなされたもので、凹凸の差が小さい模様であり、かつ見る角度によって見え方が変化する模様を皮革若しくは人工皮革の表面に付ける皮革若しくは人工皮革の模様付け方法及びそれを用いて模様付けした皮革若しくは人工皮革を提供することを目的とする。
【課題を解決するための手段】
【０００６】
本発明は、皮革若しくは人工皮革の表面に対して、地となるべき面とそれに付けるべき柄模様部若しくは縞模様部とのそれぞれに対して、細くて平行な凸部と凹溝とが交互に現われる凹凸面であって、前記地となる面と柄模様部若しくは縞模様部とで互いに傾き角度が異なる凹凸面を形成する皮革若しくは人工皮革の模様付け方法を特徴とする。
【０００７】
上記の皮革若しくは人工皮革の模様付け方法では、前記凸部、凹溝それぞれの幅は０．１ｍｍ以上、０．３ｍｍ以下のものとすることができる。
【０００８】
また本発明は、皮革若しくは人工皮革の表面に対して、地となるべき面とそれに付けるべき柄模様部若しくは縞模様部とのそれぞれに対して、細くて平行な凸部と凹溝とが交互に現われる凹凸面であって、前記地となる面と柄模様部若しくは縞模様部とで互いに傾き角度が異なる凹凸面を形成した皮革若しくは人工皮革を特徴とする。
【０００９】
上記の皮革若しくは人工皮革では、前記凸部、凹溝それぞれの幅は０．１ｍｍ以上、０．３ｍｍ以下のものとすることができる。
【発明の効果】
【００１０】
本発明の皮革若しくは人工皮革の模様付け方法によれば、凹凸の差が小さい模様であり、かつ見る角度によって見え方が変化する模様を皮革若しくは人工皮革の表面に付けることができる。
【００１１】
また本発明の皮革若しくは人工皮革によれば、凹凸の差が小さい模様であり、かつ見る角度によって見え方が変化する模様の付いた皮革若しくは人工皮革を提供することができる。
【図面の簡単な説明】
【００１２】
【図１】図１は、本発明の１つの実施の形態の天然皮革の表面に付けた模様の構成を示す説明図。
【図２】図２は、上記実施の形態の模様を付けるために用いる型の説明図。
【図３】図３（ａ）〜（ｃ）それぞれは、上記実施の形態の模様を構成する横方向凹凸面、縦方向凹凸面、斜め方向凹凸面の説明図。
【図４】図４（ａ），（ｂ）それぞれは、上記実施の形態の模様に対する光の反射作用を示す説明図。
【図５】図５は、上記実施の形態の模様付けした皮革で作成した財布の写真。
【図６】図６（ａ）〜（ｃ）それぞれは、本発明の変形例で用いる凹凸面を形成する凸部、凹溝の説明図。
【図７】図７は、本発明の別の変形例の模様を示す説明図。
【図８】図８ は、本発明のさらに別の変形例の模様を示す説明図。
【図９】図９は、本発明のさらに別の変形例の模様を示す説明図。
【図１０】図１０は、本発明のさらに別の変形例の模様を示す説明図。
【発明を実施するための形態】
【００１３】
以下、本発明の実施の形態を図に基づいて詳説する。
【００１４】
＜第１の実施の形態＞
図１は、本発明の１つの実施の形態の模様付け方法により模様付けした天然皮革の表面を示している。実施の形態は、銀面タイプの天然皮革１０の表面に、横方向の細い凸部と細い凹溝とが交互に現れるようにエンボス加工して得た、模様の地をなす横方向凹凸面１１と、それとは垂直な縦方向の細い凸部と細い凹溝とが交互に現れるようにエンボス加工して得た、縞模様をなす縦方向凹凸面１２と、そしていずれに対しても４５度に傾く斜め方向の凸部と凹溝とが交互に現れるようにエンボス加工して得た、斜め方向凹凸面１３との３種類の凹凸面１１，１２，１３で構成した模様１４を付けている。尚、本明細書で横方向、縦方向は相対的なものであり、図面において水平な方向を横方向と称し、この横方向に直交する方向を縦方向と称しているのであり、素材の皮革を回転させれば横方向が縦になり、縦方向が横になることもある。
【００１５】
素材の天然皮革１０は滑らかな表面状態、つまり銀面タイプである。銀面タイプの天然皮革１０であれば動物の種類は問わないが、きめの細かい革、例えば、牛、豚、鹿、カンガルー等が好ましい。また天然皮革に代えて人工皮革を素材として採用することもできる。加熱温度に若干の違いがあるが、模様付け方法は同様である。
【００１６】
模様付けは、次のようにして行う。まず図２に示したような型押し用のエンボス型２０を用意する。実施の形態の場合、皮革１０の表面に付ける凹凸は細かいので、このエンボス型２０はエッチング加工によりあらかじめ凸部、凹溝を反転させた凹凸面２１を形成したものである。尚、図２において、黒線は凹溝、白線は凸部を表している。また、用いた型２０は２５ｃｍ×２４ｃｍサイズのものであった。特にこれに限定されるものではない。
【００１７】
そして、模様を付けようとする天然皮革１０の表面にこのエンボス型２０を加熱下で押し付けて型押しすることによって凹凸面を天然皮革１０の表面に転写する。加圧力は１６パスカルであるが、これも素材や作成する柄、サイズに応じて調整されるべきものである。この型押し加工により、図１に示した模様１４が付けられた天然皮革１０が得られる。
【００１８】
次に、図１に示した模様付き天然皮革１０の模様１４の構成について、図３を用いてさらに詳しく説明する。エンボス型２０による凹凸模様１４については、模様としていちばん広い面積を占める地となる横方向（１８０°）凹凸面１１は、図３（ａ）に示すような、例えば０．２ｍｍ幅の凹溝３１と０．３ｍｍ幅の凸部３２とが交互に平行に現れる凹凸面にエンボス加工したものである。この横方向凹凸面１１とは垂直な縦方向（９０°）凹凸面１２も、同様に図３（ｂ）に示すような細い凹溝３３と細い凸部３４とが交互に現れる凹凸面にエンボス加工したものであり、縞模様部を構成する。そして、図１においては右上がりの縞模様と右下がりの縞模様とが交差する交差部には、図３（ｃ）に示すように、横方向（１８０°）、縦方向（９０°）とのいずれに対しても４５°の角度をなす斜め方向の凹溝３５と凸部３６とが交互に現れるようにエンボス加工して斜め方向凹凸面１３を形成している。
【００１９】
実施の形態の模様１４の場合、縞模様部を形成する縦方向（９０°）凹凸面１２は、図１、図２に示した状態でその縞模様部の長手方向が縦方向に対して±４５°をなし、縦方向の凸部３３、凹溝３４の方向も縞模様の長手方向に対して±４５°をなしている。
【００２０】
このような凹凸面１１，１２，１３で模様が付けられた天然皮革１０の表面は、光の方向、見る角度によってその模様の見え方が微妙に、かつ、複雑に変化する。すなわち、図４（ａ）に示すように、左側斜め下側４５°からの光は、横方向凹凸面１１では凹溝３１、凸部３２が水平方向なのでその凹凸面に反射して右側斜め下側に出て行く。左側斜め下側４５°からの光は、縦方向凹凸面１２では凹溝３３、凸部３４が垂直方向なのでその凹凸面に反射して左側斜め上側に出て行く。そして同じ左側斜め下側４５°からの光は、斜め方向凹凸面１３では凹溝３５、凸部３６が光に対して直角になるので入射方向に反射して出ていく。逆に図４（ｂ）に示すように、右側斜め下側４５°からの光は、横方向凹凸面１１では凹溝３１、凸部３２が水平方向なのでその凹凸面に反射して左側斜め下側に出て行く。右側斜め下側４５°からの光は、縦方向凹凸面１２では凹溝３３、凸部３４が垂直方向なのでその凹凸面に反射して右側斜め上側に出て行く。そして同じ右側斜め下側４５°からの光は、斜め方向凹凸面１３では凹溝３５、凸部３６が入射光に対してほぼ平行になり、光のほとんどが反射せずに直進する。そして、模様１４（皮革１０）を回転させれば光の反射態様は変化する。
【００２１】
したがって、本実施の形態の模様付けした皮革１０では、見る方向によって縦方向凹凸面１１、横方向凹凸面１２、斜め方向凹凸面１３のいずれか１つあるいは２つの反射光量の多い面が明るく光って見え、残りの面が暗く沈んで見えることになる。また皮革１０を水平に回転させたり、上下に回転させたりすることによって明るく見える凹凸面が移る。このため、皮革１０の表面を見る方向や見る角度によって反射光の濃淡が微妙に変化して、凹凸が細かいので遠目には模様なしに見えながらも、近くで見ると模様が浮き立つような見え方もする。
【００２２】
図５には実施の形態の模様付けした皮革１０を用いて作成した財布を示している。この図５のように遠目にはほぼ紺色一色の表面に見えるが、少し斜めに傾けた状態で近くづけて見ると、縞柄１２の部分が白く光り、地柄１１の部分は暗く沈んで見える。しかも、財布を別の角度に傾けたり、回転させたりすれば、例えば、地柄１１の部分が明るく光って見えるようになったり、縞柄１２の部分が光って見えるようになったりする。このように、反射剤を混入した塗料を用いて皮革の表面に色づけしなくても、一色に着色した皮革であっても、人の見る角度によって見え方が多彩に変化する印象を与えることができる。
【００２３】
＜変形例＞
次に、本発明の皮革若しくは人工皮革の模様付け方法、その方法を用いて模様付けされた皮革若しくは人工皮革の変形例を説明する。上記実施の形態では、縦方向の凸部、凹溝でなる縦方向凹凸面、横方向の凸部、凹溝でなる横方向凹凸面、そして斜め方向の凸部、凹溝でなる斜め方向凹凸面の３方向の凹凸面で模様を構成するようにした。しかしながら、この実施の形態に限定されるものではなく、縦方向の凸部、凹溝でなる縦方向凹凸面と、横方向の凸部、凹溝でなる横方向凹凸面との２種類の凹凸面で模様を構成することもできる。また４種類以上の傾き角度の異なる凸部、凹溝でなる凹凸面を形成し、模様を付けることもできる。例えば、１０種類の角度、１８°の線、３６°の線、５４°の線、７２°の線、９０°の線、１０８°の線、１２６°の線、１４４°の線、１６２°の線、１８０°の線で構成される凹凸面を用いて模様を作成すれば、１０種類の反射する光の濃淡を発生させることができる。また１０００種類の角度、０．１°の線、０．２°の線、０．３°の線、……、３５９．８°の線、３５９．９°の線、３６０°の線で構成される凹凸面を用いて模様を作成すれば、１０００種類の反射する光の濃淡を発生させることができる。また理論上は１００，０００種類の角度の線であれば、１００，０００種類の反射する光の濃淡を発生させることができる。
【００２４】
また、図６（ａ）〜（ｃ）に示すように、凹凸面を構成する線の太さを変えることでも反射する光の濃淡を変化させることができる。図６（ａ）は細い１８０°の線の凹凸面４１を示している。図６（ｂ）は太い１８０°の線の凹凸面４２を示している。そして図６（ｃ）はこれら細い線と太い線とを交互に用いた凹凸面４３を示している。尚、これらの図６（ａ）〜（ｃ）それぞれにおいて、黒い直線は凹溝を、そして凹溝間の白い部分は凸部を表している。
【００２５】
さらに凹凸を施した柄を用いた模様の変形例を図７〜図１０に示している。図７に示す例では、皮革１０に付けた模様５０は、横方向の凹凸面５１を地とし、縦方向の凹凸面５２で星柄部を構成し、斜め方向の凹凸面５３にて縞柄部を構成している。この模様５０では、見る角度に応じて地が強く光り、反対に星柄と縞模様が暗く沈んで見えたり、逆に星柄だけが浮き上がるように見えたり、縞模様だけが浮き上がるように見えたりし、模様５０の見え方が多様に変化する。
【００２６】
図８に示す例では、皮革１０に付けた模様６０は、横方向の凹凸面６１を地とし、縦方向の凹凸面６２で花柄部を構成し、さらに各花柄の中心部と中央位置の花柄の周囲と四方の花柄の中央の花柄に面する部分に斜め方向の凹凸面６３を形成している。この模様６０では、見る角度に応じて地が強く光り、反対に花柄は暗く沈んで見えたり、花柄が浮き上がるように見えたり、さらには中央の花柄だけが浮き上がって見えたりし、模様６０の見え方が多様に変化する。
【００２７】
また、図９に示す例では、皮革１０に付けた模様７０は、横方向の凹凸面７１を地とし、縦方向の凹凸面７２で片方のＴ２Ｏの文字柄を構成し、さらに斜め方向の凹凸面７３で他方の天地逆向きのＴ２Ｏの文字柄を構成している。この模様７０では、見る角度に応じて地が強く光り、反対に両方の文字柄が暗く沈んで見えたり、片方の文字柄だけが浮き上がるように見えたり、反対側の文字柄だけが浮き上がって見えたりし、模様７０の見え方が多様に変化する。
【００２８】
さらに図１０に示す例では、皮革１０に付けた模様８０は、横方向の凹凸面８１を地とし、縦方向の凹凸面８２で上側一列、下側一列の水玉柄を構成し、さらに斜め方向の凹凸面８３で上下中央列の水玉柄を構成している。尚、各水玉柄の中には小さな鹿の模様８４も横方向の凹凸線を用いて描かれている。この模様８０では、見る角度に応じて地と鹿が強く光り、反対に水玉柄が暗く沈んで見えたり、上下の各列の水玉柄だけ浮き上がるように見えたり、中央列の水玉柄だけが浮き上がって見えたりし、模様８０の見え方が多様に変化する。
【００２９】
以上、本発明を実施の形態を用いて説明したが、本発明は皮革若しくは人工皮革の表面に対して、地となるべき面とそれに付けるべき柄模様部若しくは縞模様部とのそれぞれに対して、細くて平行な凸部と凹溝とが交互に現われる凹凸面であって、地となる面と柄模様部若しくは縞模様部とで互いに傾き角度が異なる凹凸面を形成する皮革若しくは人工皮革の模様付け方法、そしてその方法によって作製された皮革若しくは人工皮革を特徴とする。
【００３０】
尚、本発明によれば、凹凸面の傾き角度や柄を任意に多様化することができ、実施の形態で例示したものに限定されることはない。また、本発明の模様付けした天然皮革や人工皮革は、バッグ、財布、パス入れ等の皮革製品に広く利用することができる。
【符号の説明】
【００３１】
１０  皮革
１１  横方向凹凸面
１２  縦方向凹凸面
１３  斜め方向凹凸面
２０  型
２１  凹凸面
３１，３３，３５  凹溝
３２，３４，３６  凸部
４１  細い線の凹凸面
４２  太い線の凹凸面
４３  細い線と太い線の凹凸面
５０，６０，７０，８０  模様
５１，６１，７１，８１  縦方向凹凸面
５２，６２，７２，８２  横方向凹凸面
５３，６３，７３，８３  斜め方向凹凸面
【図１】
2018168482.tif 000003
【図２】
2018168482.tif 000004
【図３】
2018168482.tif 000005
【図４】
2018168482.tif 000006
【図５】
2018168482.tif 000007
【図６】
2018168482.tif 000008
【図７】
2018168482.tif 000009
【図８】
2018168482.tif 000010
【図９】
2018168482.tif 000011
【図１０】
2018168482.tif 000012
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
皮革若しくは人工皮革の銀面の表面に対して、当該表面でいちばん広い面積を占める地となるべき面部分と柄模様を付けるべき面部分である柄模様部若しくは縞模様を付けるべき面部分である縞模様部とのそれぞれに対して、平行な凸部と凹溝とが交互に現われる凹凸面であって、
前記地となる面部分と柄模様部若しくは縞模様部とで互いに傾き角度が異なり、かつ当該皮革若しくは人工皮革の表面を見る方向や見る角度によって反射光の濃淡が変化して、遠目には模様なしに見えながらも近くで見ると前記柄模様部の柄模様若しくは縞模様部の縞模様が浮き立つような見え方を現出させる凹凸面を形成することを特徴とする皮革若しくは人工皮革の模様付け方法。
【請求項２】
前記凸部、凹溝それぞれの幅は０．１ｍｍ以上、０．３ｍｍ以下としたことを特徴とする請求項１に記載の皮革若しくは人工皮革の模様付け方法。
【請求項３】
皮革若しくは人工皮革の銀面の表面に対して、当該表面でいちばん広い面積を占める模様地となるべき面部分と柄模様を付けるべき面部分である柄模様部若しくは縞模様を付けるべき面部分である縞模様部とのそれぞれに対して、平行な凸部と凹溝とが交互に現われる凹凸面であって、
前記地となる面部分と柄模様部若しくは縞模様部とで互いに傾き角度が異なり、かつ当該皮革若しくは人工皮革の表面を見る方向や見る角度によって反射光の濃淡が変化して、遠目には模様なしに見えながらも近くで見ると前記柄模様部の柄模様若しくは縞模様部の縞模様が浮き立つような見え方を現出させる凹凸面を形成したことを特徴とする皮革若しくは人工皮革。
【請求項４】
前記凸部、凹溝それぞれの幅は０．１ｍｍ以上、０．３ｍｍ以下としたことを特徴とする請求項３に記載の皮革もしくは人工皮革。
【手続補正２】
【補正対象書類名】明細書
【補正対象項目名】０００６
【補正方法】変更
【補正の内容】
【０００６】
本発明は、皮革若しくは人工皮革の銀面の表面に対して、当該表面でいちばん広い面積を占める模様地となるべき面部分と柄模様を付けるべき面部分である柄模様部若しくは縞模様を付けるべき面部分である縞模様部とのそれぞれに対して、平行な凸部と凹溝とが交互に現われる凹凸面であって、前記地となる面部分と柄模様部若しくは縞模様部とで互いに傾き角度が異なり、かつ当該皮革若しくは人工皮革の表面を見る方向や見る角度によって反射光の濃淡が変化して、遠目には模様なしに見えながらも近くで見ると前記柄模様部の柄模様若しくは縞模様部の縞模様が浮き立つような見え方を現出させる凹凸面を形成する皮革若しくは人工皮革の模様付け方法を特徴とする。
【手続補正３】
【補正対象書類名】明細書
【補正対象項目名】０００８
【補正方法】変更
【補正の内容】
【０００８】
また本発明は、皮革若しくは人工皮革の銀面の表面に対して、当該表面でいちばん広い面積を占める模様地となるべき面部分と柄模様を付けるべき面部分である柄模様部若しくは縞模様を付けるべき面部分である縞模様部とのそれぞれに対して、平行な凸部と凹溝とが交互に現われる凹凸面であって、前記地となる面と柄模様部若しくは縞模様部とで互いに傾き角度が異なり、かつ当該皮革若しくは人工皮革の表面を見る方向や見る角度によって反射光の濃淡が変化して、遠目には模様なしに見えながらも近くで見ると前記柄模様部の柄模様若しくは縞模様部の縞模様が浮き立つような見え方を現出させる凹凸面を形成した皮革若しくは人工皮革を特徴とする。